(57)【要約】      （修正有）【課題】表示パネルを組み立て作業が簡易な包装箱を提供する。【解決手段】表示パネル付き包装箱１００は，底面１０と，その周囲に立設する前後左右の面２０，３０，４０，５０と，前面２０の上方に設けられた表示パネル６０を含む。表示パネル６０は，前面２０の上方に連接した裏側パネル６１と，裏側パネル６１の上方に連接した表側パネル６２を有する。左右の側面４０，５０には，前面２０側に前面側フラップ４１，５１が連接している。前面側フラップ４１，５１は，前面２０に接合する接合代部４１ａ，５１ａと，接合代部４１ａ，５１ａの上方に延出したロック部４１ｂ，５１ｂを有する。表示パネル６０は，裏側パネル６１と表側パネル６２とをそれらの間の折線において二つ折りにしたときに，表側パネル６２の一部が，ロック部４１ｂ，５１ｂの一部と係合してロックされる。【選択図】図１
2015134633.tif 000002
【特許請求の範囲】
【請求項１】
底面（１０）と，
前記底面（１０）の周囲に立設する前面（２０），後面（３０），左側面（４０），及び右側面（５０）と，
前記前面（２０）の上方に設けられた表示パネル（６０）と，を含む
表示パネル付き包装箱であって，
前記表示パネル（６０）は，
前記前面（２０）の上方に連接した裏側パネル（６１）と，
前記裏側パネル（６１）の上方に連接した表側パネル（６２）と，を有し，
前記左側面（４０）及び前記右側面（５０）には，それぞれ，
前記前面（２０）側に前面側フラップ（４１，５１）が連接しており，
前記前面側フラップ（４１，５１）は，それぞれ，
前記前面（２０）に接合する接合代部（４１ａ，５１ａ）と，
前記接合代部（４１ａ，５１ａ）の上方に延出したロック部（４１ｂ，５１ｂ）と，を有し，
前記表示パネル（６０）は，
前記裏側パネル（６１）と前記表側パネル（６２）とを，それらの間の折線において二つ折りにしたときに，
前記表側パネル（６２）の一部が，前記ロック部（４１ｂ，５１ｂ）の一部と係合してロックされる
包装箱。
【請求項２】
前記ロック部（４１ｂ，５１ｂ）は，
組み立て時の前記包装箱の内方に向かって突出した突出部分（４１ｃ，５１ｃ）を有し，
前記表示パネル（６０）は，
前記裏側パネル（６１）と前記表側パネル（６２）とを，それらの間の折線において二つ折りにしたときに，
前記表側パネル（６２）の一部が，前記ロック部（４１ｂ，５１ｂ）の前記突出部分（４１ｃ，５１ｃ）と，前記前面（２０）と前記裏側パネル（６１）の間の折線に相当する稜線との間に挟み込まれてロックされる
請求項１に記載の包装箱。
【請求項３】
前記前面（２０）と前記裏側パネル（６１）と前記表側パネル（６２）は，これらの各部材（２０，６１，６２）を三層に重ね合わせた状態において，当該三層を連通する開口部（６４）が形成されている
請求項１又は請求項２に記載の包装箱。
【発明の詳細な説明】
【技術分野】
【０００１】
本発明は，表示パネル付きの包装箱に関する。具体的に説明すると，本発明の包装箱は，前面側に表示パネルが設けられており，この表示パネルに商品の広告やイラスト等が印刷される。このため，本発明の包装箱を利用して，商品を消費者にアピールすることができるようになっている。
【背景技術】
【０００２】
従来から，例えばコンビニエンスストアなどの小売店において，チョコレートやガムなどの商品は，これらの商品を包装箱に収納し，この包装箱を商品棚に設置することにより販売されている。この包装箱は，消費者に対して商品をアピールするために，主に前面部分に，商品の広告やイラスト等が印刷されている。
【０００３】
また，従来から，商品をより効果的にアピールするために，包装箱に立体的に展開可能な表示パネルを設けることが知られている（例えば，特許文献１〜３）。
【０００４】
例えば，特許文献１に開示された包装箱は，前面板の上辺に，折り倒し可能に表示板保持体が設けられている。また，表示板保持体には，前面板の折り戻し動作により前面板に隣り合う側面板から切り離された表示板が貼着されている。
【０００５】
また，特許文献２に開示された包装箱は，前面板に折り倒し可能に形成されている表示板保持体と表示板とが一体的に連接されている。また，この表示板は，谷折りすることで，表示板保持体に貼着されている。これにより，前面板の手前に，表示板保持体と表示板とが折り倒されて，表示パネルが形成されるようになっている。
【０００６】
さらに，特許文献３に開示された包装箱は，前面側板の上縁に折線を介して表示パネルが連設されている。この表示パネルは，中央の折線で二つ折りできるように構成されており，その先端部両側に一対の差込片が突設されている。そして，この包装箱には，表示パネルと前面側板とが連接する稜線上に，表示パネルの差込片が係合する一対の係合切込を設けられている。
【０００７】
これらの特許文献１〜３に開示された従来の包装箱は，いずれも，包装箱を形成するブランクシートの表面にのみ広告やイラストを印刷すれば良い構成となっている。すなわち，従来の表示パネル付き包装箱の中には，表面と裏面の両方に印刷を行わければ，表示パネルに印刷された広告やイラストを適切に視認させることができないものも存在していた。このように，包装箱を両面印刷が必要な構成とすると，ブランクシートを印刷装置に二度通して印刷する必要があった。また，両面に綺麗な印刷を行うために，上質紙を使用する必要があったり，表面と裏面の両方にコーティング処理を施したりする必要があった。このため，両面印刷が必要な従来の表示パネル付き包装箱は，印刷工程が複雑となるとともに，コストが嵩むという欠点を有するものであった。この点，上記した特許文献１〜３に開示された包装箱は，いずれも，ブランクシートの表面側にのみ印刷を施せば済むように，２枚の板部材を二つ折りにすることで表示パネルを構成できるようにしている。従って，特許文献１〜３の包装箱は，印刷コストを安く抑えることができるというメリットがある。
【先行技術文献】
【特許文献】
【０００８】
【特許文献１】特開２００６−１８８２７５号公報
【特許文献２】特開２００６−１０３７５６号公報
【特許文献３】特開２００５−８２３８号公報
【発明の概要】
【発明が解決しようとする課題】
【０００９】
しかしながら，上記した特許文献１〜３に開示された表示パネル付きの包装箱は，いずれも，製造工場において包装箱を組み立てる作業や，小売店の店舗において表示パネルを組み立てる作業の負荷が大きいという問題があった。
【００１０】
例えば，特許文献１と特許文献２の包装箱は，表示パネルを構成する表示板保持体と表示板とを，接着剤や両面テープなどを利用して互いに貼着する必要がある。表示板保持体と表示板を接着剤で貼着する作業は，製造工場の作業員が行う場合であっても，小売店の店員が行う場合であっても，オペレーション負荷が高いものとなっていた。
【００１１】
また，特許文献３の包装箱は，表示パネルの先端部分に小さい差込片が設けられており，表示パネルを組み立てる際には，この小さな差込片を，表示パネルと前面側板とが連接する稜線上に設けられた係合切込に差し込む必要がある。このような表示パネルの組立作業は，一般的に小売店の各店舗において行われるものと想定される。しかし，表示パネルの差込片を係合切込に差し込む作業は，比較的時間を要する手間の掛かる作業となっている。このように，表示パネルを組み立てる作業が面倒であると，小売店などにおいては，その表示パネルを組み立てずに，そのまま包装箱が棚に陳列されてしまうような事態が頻繁に発生していた。これでは，包装箱に表示パネルを設けた意味がなくなってしまう。
【００１２】
このため，現在では，表面のみに印刷を施せば良い構造を持つ表示パネル付きの包装箱であって，その表示パネルを組み立てる作業が簡易なものが求められている。
【課題を解決するための手段】
【００１３】
そこで，本発明の発明者は，従来発明の問題点を解決する手段について鋭意検討した結果，包装箱の前面に連接した表示パネルを，包装箱の左右の側面に連接している前面側のフラップを利用してロックするという知見を得た。すなわち，裏側パネルと表側パネルにより構成される表示パネルを，左右の側面に連接している前面側のフラップを利用してロックすることで，包装箱の表面にのみ印刷を施せば済むようになり，且つ，表示パネルを組み立てる作業が簡易なものとなる。そして，本発明者は，上記知見に基づけば，従来技術の課題を解決できることに想到し，本発明を完成させた。
具体的に説明すると，本発明は以下の構成を有する。
【００１４】
本発明は，表示パネル付き包装箱に関する。
本発明の表示パネル付き包装箱は，底面１０と，底面１０の周囲に立設する前面２０，後面３０，左側面４０，及び右側面５０と，前面２０の上方に設けられた表示パネル６０と，を含む。
表示パネル６０は，前面２０の上方に連接した裏側パネル６１と，裏側パネル６１の上方に連接した表側パネル６２と，を有する。
左側面４０及び右側面５０には，それぞれ，前面２０側に前面側フラップ４１，５１が連接している。
前面側フラップ４１，５１は，それぞれ，前面２０に接合する接合代部４１ａ，５１ａと，接合代部４１ａ，５１ａの上方に延出したロック部４１ｂ，５１ｂと，を有する。
そして，表示パネル６０は，裏側パネル６１と表側パネル６２とを，それらの間の折線において二つ折りにしたときに，表側パネル６２の一部が，ロック部４１ｂ，５１ｂの一部と係合してロックされる。
【００１５】
上記構成のように，表示パネル６０を，裏側パネル６１と表側パネル６２とによって構成し，これら２つのパネルを二つ折りにして利用することができるようにすることで，広告やイラストを両面印刷する必要がなくなる。従って，印刷コストの低減を図ることができる。また，本発明では，裏側パネル６１と表側パネル６２を二つ折りにした状態を，前面側フラップ４１，５１を利用して固定することとしている。このため，例えば，裏側パネル６１と表側パネル６２を接着剤によって貼着したりする必要がなくなる。従って，表示パネル６０の組み立て作業のオペレーション負荷を低減することができる。
【００１６】
より具体的に説明すると，本発明において，ロック部４１ｂ，５１ｂは，組み立て時の包装箱の内方に向かって突出した突出部分４１ｃ，５１ｃを有することが好ましい。
この場合に，表示パネル６０は，裏側パネル６１と表側パネル６２とを，それらの間の折線において二つ折りにしたときに，表側パネル６２の一部が，ロック部４１ｂ，５１ｂの突出部分４１ｃ，５１ｃと，前面２０と裏側パネル６１の間の折線に相当する部分との間に挟み込まれてロックされることが好ましい。
【００１７】
上記構成のようにすることで，表示パネル６０を，ロック部４１ｂ，５１ｂの一部（突出部分４１ｃ，５１ｃ）を利用して，効果的にロックすることができる。
【００１８】
また，本発明において，前面２０と裏側パネル６１と表側パネル６２は，これらの各部材２０，６１，６２を三層に重ね合わせた状態において，当該三層を連通する開口部６４が形成されていることが好ましい。
【００１９】
上記構成のように，前面２０，裏側パネル６１，及び表側パネル６２を連通する開口部６４を設けることで，包装箱内の商品を消費者に提示することができるため，より効果的に商品をアピールすることができる。
【発明の効果】
【００２０】
本発明によれば，表面のみに印刷を施せば良い構造の表示パネルを有し，且つ，その表示パネルを組み立てる作業が簡単な包装箱を提供することができる。
【図面の簡単な説明】
【００２１】
【図１】図１は，本発明に係る表示パネル付き包装箱の実施形態を示した展開図である。
【図２】図２は，包装箱を箱型に組み立てた状態を示す斜視図である。
【図３】図３は，表示パネルを組み立てる途中の段階を示す斜視図である。
【図４】図４は，表示パネルを組み立てた状態を示す斜視図である。
【発明を実施するための形態】
【００２２】
以下，図面を用いて本発明を実施するための形態について説明する。本発明は，以下に説明する形態に限定されるものではなく，以下の形態から当業者が自明な範囲で適宜修正したものも含む。
【００２３】
図１は，本発明に係る包装箱１００の展開状態（ブランクシート）を，印刷面側（表面側）から見た状態を示している。なお，図１において，「実線」はブランクシートの縁又は切れ目を示しており，「破線」は折線を示している。ここにいう「折線」は，シートの折り曲げを容易にするための補助線を意味し，例えば押罫線やミシン目線が含まれる。
【００２４】
図１に示されるように，本発明の包装箱１００は，一枚のブランクシートから組み立てて成型することができる。包装箱１００を構成するブランクシートは，例えば，段ボールシートや，厚紙，又はプラスチックシート等によって形成することができる。
【００２５】
図１に示されるように，包装箱１００は，底面１０，前面２０，後面３０，左側面４０，及び右側面５０を有している。本実施形態において，底面１０は，四角形状（矩形状）である。また，前面２０，後面３０，左側面４０，及び右側面５０は，それぞれ，折線Ａを介して，底面１０の周囲に連接している。前面２０と後面３０は，互いに対面する位置に設けられ，左側面４０と右側面５０は，互いに対面する位置に設けられている。このため，折線Ａにおいてシートを折り曲げることで，前面２０，後面３０，左側面４０，及び右側面５０は，それぞれ，底面１０の周囲に直角に立ち上がるようになっている。
【００２６】
また，図１に示されるように，本実施形態において，後面３０，左側面４０，及び右側面５０は，起立したときの高さが，それぞれ略等しくなるように構成されている。他方，前面２０は，他の面３０，４０，５０と比較して，起立したときの高さが，およそ半分程度となっている。例えば，前面２０の高さをＨ１とし，左側面４０の高さをＨ２とした場合に，高さＨ１は，高さＨ２を１００％としたときに，２０％〜８０％，３０％〜８０％，又は４０％〜６０％となっている。
【００２７】
ここで，本発明においては，前面２０に連接するようにして，表示パネル６０が設けられている。図１に示されるように，表示パネル６０は，裏側パネル６１と表側パネル６２から構成される。裏側パネル６１は，折線Ｃを介して，前面２０の上方に連接している。また，表側パネル６２は，折線Ｄを介して，裏側パネル６１の上方に連接している。裏側パネル６１と表側パネル６２は，折線Ｄにおいて二つ折りにして折り合わせることにより，表示パネル６０を形成する。裏側パネル６１は，表示パネル６０の裏側に位置する部分であり，表側パネル６２は，表示パネル６０の表側に位置する部分である。このため，図１に示されるように，表側パネル６２の表面には，商品の広告や，宣伝文句，イラストなどの印刷が施される。図１に示した例では，表側パネル６２に，「ＧＵＭ」という字が印刷されている。
【００２８】
また，図１に示されるように，表側パネル６２は，その上縁部分に差込突起６３が形成されている。本実施形態において，差込突起６３は，表側パネル６２の上縁において，間隔を置いた二箇所に形成されている。差込突起６３は，表示パネル６０を組み立てる際に利用される。表示パネル６０の組み立て方法について，詳しくは後述する。
【００２９】
他方，図１に示されるように，左側面４０と右側面５０には，それぞれ，前面２０側に，前面側フラップ４１，５１が，折線Ｂを介して連接している。同様に，左側面４０と右側面５０には，それぞれ，後面３０側に，後面側フラップ４２，５２が，折線Ｂを介して連接している。前面側フラップ４１，５１は，その一部が，前面２０に接合される。また，後面側フラップ４２，５２は，少なくとも一部が，後面３０に接合される。このようにして，前面側フラップ４１，５１を前面２０に接合し，後面側フラップ４２，５２を後面３０に接合することで，包装箱１００を箱型に組み立てることができるようになっている。
【００３０】
また，図１に示されるように，前面側フラップ４１，５１は，組み立て時の高さ方向に見たときに，下方に位置する接合代部４１ａ，５１ａと，上方に位置するロック部４１ｂ，５１ｂに区分されている。
【００３１】
すなわち，まず，接合代部４１ａ，５１ａは，前面側フラップ４１，５１を前面２０に接合する際に，接着剤が塗布されたり，両面テープが貼付されたり，ステープルが打たれたりする部分である。図１では，概念的に，接合代部４１ａ，５１ａに接着剤を塗布する部分を，ドット模様で示している。このように，接合代部４１ａ，５１ａにおいて，前面側フラップ４１，５１と前面２０が固定される。このため，図１に示されるように，前面２０の高さＨ１と，接合代部４１ａ，５１ａの高さＨ３は，略等しいものであることが好ましい。例えば，前面２０の高さＨ１は，接合代部４１ａ，５１ａの高さＨ３を１００％としたときに，９０％〜１１０％，９５％〜１０５％，９８％〜１０２％，又は１００％であることが好ましい。
【００３２】
また，図１に示されるように，接合代部４１ａ，５１ａの上方には，ロック部４１ｂ，５１ｂが延出して形成されている。上述のように，接合代部４１ａ，５１ａと前面２０の高さは略等しいものである。このため，ロック部４１ｂ，５１ｂは，接合代部４１ａ，５１ａと前面２０を接合したときに，前面２０よりも上方に延出した部分であるということができる。なお，図１に示されるように，ロック部４１ｂ，５１ｂには，接着剤が塗布されたり，両面テープが貼付されたりすることはない。
【００３３】
さらに具体的に説明すると，図１に示されるように，ロック部４１ｂ，５１ｂは，突出部分４１ｃ，５１ｃを有している。この突出部分４１ｃ，５１ｃは，ロック部４１ｂ，５１ｂのうち，接合代部４１ａ，５１ａよりも，組み立て時の包装箱の内方に向かって突出した部分である。言い換えると，ロック部４１ｂ，５１ｂは，突出部分４１ｃ，５１ｃの分だけ，接合代部４１ａ，５１ａよりも幅広に形成されている。例えば，突出部分４１ｃ，５１ｃの幅は，２ｍｍ〜１５ｍｍ程度とすればよい。突出部分４１ｃ，５１ｃの幅は，包装箱１００の大きさに併せて適宜調節可能である。
【００３４】
続いて，図２〜図４を参照して，表示パネル６０付きの包装箱１００を組み立てる方法について説明する。
【００３５】
図２は，包装箱１００を箱状に組み立てた状態を示している。すなわち，まず，図１に示した折線Ａに沿って，底面１０の周囲に，前面２０，後面３０，左側面４０，右側面５０を折り曲げて立ち上げる。その後，折線Ｂに沿って，左側面４０と右側面５０に連接している前面側フラップ４１，５１と，後面側フラップ４２，５２とを折り曲げる。このとき，前面側フラップ４１，５１の接合代部４１ａ，５１ａに接着剤を塗布するなどして，この接合代部４１ａ，５１ａと前面２０を接合する。同様に，後面側フラップ４２，５２にも接着剤を塗布するなどして，この後面側フラップ４２，５２と後面３０を接合する。これにより，図１に示したブランクシートが，図２に示した箱型に組み上がる。
【００３６】
また，図２に示されるように，前面２０の上方には，表示パネル６０を構成する裏側パネル６１が連接している。また，裏側パネル６１のさらに上方には，表側パネル６２が連接している。表側パネル６２の表面には，例えば「ＧＵＭ」等の文字のような印刷が施されている。なお，図２に示された段階では，表示パネル６０はまだ組み立てられていない。
【００３７】
次に，図３は，表示パネル６０を組み立てる途中の段階を示している。図３に示されるように，裏側パネル６１は，前面２０との間に形成された折線Ｃにおいて，包装箱１００の外方に向かって折り曲げられる。このとき，折線Ｃに相当する位置に，稜線が形成される。他方，表側パネル６２は，裏側パネル６１との間に形成された折線Ｄにおいて，包装箱１００の内方に向かって折り返される。
【００３８】
また，図３を見ると，折線Ｃの稜線よりも上方に，前面側フラップ４１，５１のロック部４１ｂ，５１ｂが延出していることがわかる。また，このロック部４１ｂ，５１ｂには，包装箱１００の内側に向かって突出した突出部分４１ｃ，５１ｃが形成されている。このため，図３に示されるように，折線Ｃに相当する位置に形成された稜線と，ロック部４１ｂ，５１ｂの突出部分４１ｃ，５１ｃの間には，僅かながらも隙間が形成される。他方，表示パネル６０の表側パネル６２には，その上縁部分の二箇所に，差込突起６３が形成されている。そして，折線Ｃの稜線と突出部分４１ｃ，５１ｃの間に形成された隙間には，表側パネル６２の差込突起６３を差し込むことができるようになっている。この表側パネル６２の差込突起６３を隙間に差し込む作業は，裏側パネル６１と表側パネル６２とを二つ折りにするだけで，ほぼ自動的に（ワンタッチで）完了する。
【００３９】
最後に，図４は，表示パネル６０が組み立てられた状態を示している。すなわち，図４は，折線Ｃの稜線と突出部分４１ｃ，５１ｃの間に形成された隙間に，表側パネル６２の差込突起６３が差し込まれた状態を示している。このようにして，表側パネル６２の一部（差込突起６３）が，ロック部４１ｂ，５１ｂの一部（突出部分４１ｃ，５１ｃ）と係合する。これにより，表示パネル６０の組み立て状態がロックされる。
【００４０】
本発明では，上記のようにして表示パネル６０が組み立てられるため，包装箱１００のブランクシートの片面側にのみ印刷を施せば，図４に示されるように，表示パネル６０の印刷面を消費者に対して提示することができる。また，表示パネル６０の組み立て状態は，前面側フラップ４１，５１との係合により維持されているため，例えば，表示パネル６０の角度をある程度自由に設定することができるようになっている。
【００４１】
さらに，本発明では，上記のようにして表示パネル６０を組み立てるものであるため，表示パネル６０を構成する裏側パネル６１と表側パネル６２とを接着剤などで貼り合わせる必要がない。特に，上述したように，表示パネル６０を組み立てる際には，裏側パネル６１と表側パネル６２とを二つ折りにするだけで，ほぼ自動的に，表側パネル６２の差込突起６３が，折線Ｃに相当する稜線と突出部分４１ｃ，５１ｃの間の隙間に差し込まれる。従って，本発明は，表示パネル６０を組み立てる作業が，従来の発明と比べて極めて簡単になっている。
【００４２】
続いて，再び図１の展開図を参照して，本発明に係る包装箱１００の改良例について説明する。
【００４３】
まず，図１などに示されるように，前面２０と裏側パネル６１と表側パネル６２には，これらの各部材２０，６１，６２を三層に重ね合わせた状態において，当該三層を連通する開口部６４を形成することとしてもよい。このように開口部６４を形成することで，消費者は，この開口部６４を通じて，包装箱１００の中身を視認することができるようになる。また，開口部６４を設けることで，包装箱１００内の商品を消費者に提示することができるため，より効果的に商品をアピールすることができる。
【００４４】
また，図１に示されるように，後面３０には，開口としての窓部３１を設けてもよい。例えば，包装箱１００内に複数の商品を詰めた際に，この後面３０に設けられた窓部３１を介して，商品の製造年月日や賞味期限などを確認することができるようになっている。
【００４５】
さらに，図１などに示されるように，前面側フラップ４１，５１には，接合代部４１ａ，５１ａの高さ方向に延びる縁の延長線上に，切り込み４１ｄ，５１ｄを形成することとしてもよい。言い換えると，切り込み４１ｄ，５１ｄは，接合代部４１ａ，５１ａと突出部分４１ｃ，５１ｃの境界に相当する部分に形成される。切り込み４１ｄ，５１ｄは，１ｍｍ〜５ｍｍ程度形成すればよい。この位置に切り込み４１ｄ，５１ｄを形成することで，突出部分４１ｃ，５１ｃの下端が，フレキシブルに湾曲するようになる。これにより，表側パネル６２の差込突起６３を，ロック部４１ｂ，５１ｂの突出部分４１ｃ，５１ｃに係合させる作業がより簡便になる。
【００４６】
以上，本願明細書では，本発明の内容を表現するために，図面を参照しながら本発明の実施形態の説明を行った。ただし，本発明は，上記実施形態に限定されるものではなく，本願明細書に記載された事項に基づいて当業者が自明な変更形態や改良形態を包含するものである。
【産業上の利用可能性】
【００４７】
本発明は，表示パネル付きの包装箱に関する。従って，本発明は，包装箱の製造業や，包装箱に収納して販売する商品の小売産業などにおいて，好適に利用し得る。
【符号の説明】
【００４８】
１０…底面              ２０…前面              ３０…後面
３１…窓部              ４０…左側面            ４１…前面側フラップ
４１ａ…接合代部        ４１ｂ…ロック部        ４１ｃ…突出部分
４１ｄ…切り込み        ４２…後面側フラップ    ５０…右側面
５１…前面側フラップ    ５１ａ…接合代部        ５１ｂ…ロック部
５１ｃ…突出部分        ５１ｄ…切り込み        ５２…後面側フラップ
６０…表示パネル        ６１…裏側パネル        ６２…表側パネル
６３…差込突起          ６４…開口部            １００…包装箱
【図１】
2015134633.tif 000003
【図２】
2015134633.tif 000004
【図３】
2015134633.tif 000005
【図４】
2015134633.tif 000006